(57)【要約】【課題】消費電力を低減できる電気光学装置および電子機器を提供すること。【解決手段】電気光学装置１は、走査線駆動回路１０、データ線駆動回路２０、および容量線駆動回路３０を備える。この電気光学装置１は、容量線駆動回路３０により電圧ＶＣＯＭＨまたは電圧ＶＣＯＭＬのいずれか一方を容量線Ｚに供給した後に、走査線駆動回路１０により選択電圧を走査線Ｙに供給するとともに、データ線駆動回路２０により画像信号をデータ線Ｘに供給する。また、走査線駆動回路１０により選択電圧を走査線Ｙに供給するのを停止した後に、容量線駆動回路３０により電圧ＶＣＯＭＨまたは電圧ＶＣＯＭＬのいずれか他方を容量線Ｚに供給する。ここで、電圧ＶＣＯＭＨまたは電圧ＶＣＯＭＬのいずれかは、共通電極５６の電圧と同電位である。【選択図】図１
2008076733.tif 000002
【特許請求の範囲】
【請求項１】
複数の走査線、複数のデータ線、複数の容量線、および前記複数の走査線と前記複数のデータ線との交差に対応して設けられた複数の画素電極を備え、当該画素電極と対向する共通電極を有する画素容量と、一方の電極が前記容量線に接続されるとともに他方の電極が前記画素電極に接続された蓄積容量と、を備える電気光学装置であって、
第１電圧と、当該第１電圧よりも電位の低い第２電圧と、が交互に選択され、当該選択された電圧を前記複数の容量線に順次供給する容量線駆動回路と、
前記走査線を選択する選択電圧を前記複数の走査線に順次供給する走査線駆動回路と、
前記走査線が選択された際に、画像信号を前記複数のデータ線に供給するデータ線駆動回路と、を備え、
前記第１電圧または前記第２電圧のいずれかは、前記共通電極の電圧と同電位とし、
前記容量線駆動回路により前記第１電圧または前記第２電圧のいずれか一方が前記容量線に供給された後に、前記走査線駆動回路により前記選択電圧が前記走査線に供給されるとともに、前記データ線駆動回路により画像信号が前記データ線に供給され、
前記走査線駆動回路により前記選択電圧を前記走査線に供給するのを停止した後に、前記容量線駆動回路により前記第１電圧または前記第２電圧のいずれか他方を前記容量線に供給することを特徴とする電気光学装置。
【請求項２】
請求項１に記載の電気光学装置において、
前記第２電圧が前記共通電極の電圧と同電位の場合、前記画像信号の電圧レベルは、前記第１電圧の電圧レベルよりも低く、かつ前記共通電極の電圧レベルよりも高く設定されることを特徴とする電気光学装置。
【請求項３】
請求項１に記載の電気光学装置において、
前記第１電圧が前記共通電極の電圧と同電位の場合、前記画像信号の電圧レベルは、前記第１電圧の電圧レベルよりも高く設定されることを特徴とする電気光学装置。
【請求項４】
請求項１に記載の電気光学装置において、
前記第２電圧が前記共通電極の電圧と同電位の場合、前記画像信号の電圧レベルは、前記第２電圧の電圧レベルよりも低く設定されることを特徴とする電気光学装置。
【請求項５】
請求項１に記載の電気光学装置において、
前記第１電圧が前記共通電極の電圧と同電位の場合、前記画像信号の電圧レベルは、前記第２電圧の電圧レベルよりも高く、かつ前記共通電極の電圧レベルよりも低く設定されることを特徴とする電気光学装置。
【請求項６】
請求項１乃至５のいずれか１項に記載の電気光学装置において、
前記走査線駆動回路により前記選択電圧を前記走査線に供給するのを停止した後に、前記容量線駆動回路により前記容量線をフローティング状態とすることを特徴とする電気光学装置。
【請求項７】
請求項１乃至５のいずれか１項に記載の電気光学装置において、
前記選択電圧の供給が停止された後に前記容量線駆動回路により前記第１電圧または前記第２電圧のいずれか他方を前記容量線に供給し、その後に前記容量線をフローティング状態とすることを特徴とする電気光学装置。
【請求項８】
請求項１乃至７のいずれか１項に記載の電気光学装置を備えることを特徴とする電子機器。
【発明の詳細な説明】
【技術分野】
【０００１】
本発明は、電気光学装置および電子機器に関する。
【背景技術】
【０００２】
従来より、液晶装置といった電気光学装置が知られている。この電気光学装置は、例えば、液晶パネルと、この液晶パネルに対向配置されたバックライトと、を備える。
【０００３】
液晶パネルは、一対の基板と、これら一対の基板の間に挟持された液晶と、を備える。
【０００４】
この液晶パネルには、所定間隔おきに交互に設けられた複数の走査線および複数の容量線と、これら複数の走査線および複数の容量線に交差し、かつ、所定間隔おきに設けられた複数のデータ線と、が設けられている。
【０００５】
各走査線と各データ線との交差部分には、画素が設けられている。画素は、画素電極および共通電極からなる画素容量と、薄膜トランジスタ（以降、ＴＦＴ（Thin  Film  Transistor）と呼ぶ）と、一方の電極が容量線に接続され他方の電極が画素電極に接続された蓄積容量と、を備える。この画素は、マトリクス状に複数配列されて表示領域を形成する。
ＴＦＴのゲートには、走査線が接続され、ＴＦＴのソースには、データ線が接続され、ＴＦＴのドレインには、画素電極および蓄積容量の他方の電極が接続されている。
【０００６】
また、上述の液晶パネルには、複数の走査線に接続された走査線駆動回路と、複数のデータ線に接続されたデータ線駆動回路と、複数の容量線に接続された容量線駆動回路と、が設けられている。
【０００７】
走査線駆動回路は、走査線を選択する選択電圧を複数の走査線に順次供給する。例えば、ある走査線に選択電圧を供給すると、この走査線に接続されたＴＦＴが全てオン状態となり、この走査線に係る画素が全て選択される。
【０００８】
データ線駆動回路は、走査線が選択された際に、画像信号を複数のデータ線に供給し、オン状態のＴＦＴを介して、この画像信号に基づく画像電圧を画素電極に書き込む。
ここで、データ線駆動回路は、共通電極の電圧よりも電位の高い電圧（以降、正極性と呼ぶ）の画像信号をデータ線に供給して、この正極性の画像信号に基づく画像電圧を画素電極に書き込む正極性書込と、共通電極の電圧よりも電位の低い電圧（以降、負極性と呼ぶ）の画像信号をデータ線に供給して、この負極性の画像信号に基づく画像電圧を画素電極に書き込む負極性書込と、を所定期間ごとに交互に行う。
【０００９】
容量線駆動回路は、所定の電圧を各容量線に供給する。
【００１０】
以上の電気光学装置は、以下のように動作する。
すなわち、走査線に選択電圧を順次供給することで、ある走査線に接続されたＴＦＴを全てオン状態にして、この走査線に係る画素を全て選択する。そして、これら画素の選択に同期して、データ線に画像信号を供給する。すると、選択した全ての画素に、オン状態のＴＦＴを介して画像信号が供給され、この画像信号に基づく画像電圧が画素電極に書き込まれる。
【００１１】
画素電極に画像電圧が書き込まれると、画素電極と共通電極との電位差により、液晶に駆動電圧が印加される。液晶に駆動電圧が印加されると、液晶の配向や秩序が変化し、液晶を透過するバックライトからの光が変化して、階調表示が行われる。
なお、液晶に印加される駆動電圧は、蓄積容量により、画像電圧が書き込まれる期間よりも３桁も長い期間に亘って保持される。
【００１２】
ところで、以上のような電気光学装置は、例えば携帯機器に用いられるが、携帯機器では、近年、消費電力の低減が要請されている。そこで、画像電圧を画素電極に書き込んだ後に、容量線の電圧を変動させることで、消費電力を低減できる電気光学装置が提案されている（例えば、特許文献１参照）。
【００１３】
特許文献１のように容量線の電圧を変動させる、従来例に係る電気光学装置の動作について、図１５を用いて説明する。
【００１４】
図１５は、従来例に係る電気光学装置のタイミングチャートである。
図１５において、ＬＣＣＯＭは、共通電極の電圧を示し、ＶＳＴは、容量線の電圧を示す。また、γ１は、正極性書込を行った場合における画素電極の電圧を示し、γ１Ａは、正極性書込を行った後に容量線の電圧を上昇させた場合における画素電極の電圧を示す。また、γ２は、負極性書込を行った場合における画素電極の電圧を示し、γ２Ａは、負極性書込を行った後に容量線の電圧を低下させた場合における画素電極の電圧を示す。
ここで、従来例に係る電気光学装置が備える液晶は、ノーマリーブラックモードで動作するものとする。
【００１５】
まず、時刻ｔ５０からｔ５４までの期間を参照して、従来例に係る電気光学装置の正極性書込時の動作について説明する。
【００１６】
時刻ｔ５０において、容量線駆動回路により、所定の電圧を容量線に供給して、容量線の電圧ＶＳＴを電圧Ｖ７とする。
【００１７】
時刻ｔ５１において、走査線駆動回路により、選択電圧を走査線に供給するとともに、データ線駆動回路により、正極性の画像信号をデータ線に供給して、正極性の画像信号に基づく画像電圧を画素電極に書き込む。すると、データ線に供給した正極性の画像信号が、例えば黒の階調に対応した画像信号であれば、画素電極の電圧γ１は、電圧Ｖ８となる。また、データ線に供給した正極性の画像信号が、例えば白の階調に対応した画像信号であれば、画素電極の電圧γ１は、電圧Ｖ１１となる。
【００１８】
時刻ｔ５２において、容量線駆動回路により、所定の電圧を容量線に供給して、容量線の電圧ＶＳＴを電圧Ｖ７から電圧Ｖ９まで上昇させる。すると、この容量線の上昇した電圧に相当する電荷が、蓄積容量と画素容量との間で分配される。このため、画素電極の電圧γ１は、上昇して、時刻ｔ５３ではγ１Ａとなる。
このため、液晶には、共通電極の電圧ＬＣＣＯＭと、画素電極の電圧γ１Ａと、の電位差に応じた駆動電圧が印加される。
【００１９】
すなわち、従来例に係る電気光学装置では、正極性書込時において、正極性の画像信号に基づく画像電圧を画素電極に書き込んだ後に、容量線の電圧を上昇させる。すると、正極性の画像信号に基づく画像電圧を画素電極に書き込んだ際には、画素電極の電圧はγ１であるが、容量線の電圧を上昇させると、画素電極の電圧はγ１Ａまで上昇する。すなわち、容量線の電圧を上昇させることで、共通電極の電圧ＬＣＣＯＭと、画素電極の電圧と、の電位差が大きくなる。
【００２０】
次に、時刻ｔ５４からｔ５８までの期間を参照して、従来例に係る電気光学装置の負極性書込時の動作について説明する。
【００２１】
時刻ｔ５４において、容量線駆動回路により、所定の電圧を容量線に供給して、容量線の電圧ＶＳＴを電圧Ｖ６とする。
【００２２】
時刻ｔ５５において、走査線駆動回路により、選択電圧を走査線に供給するとともに、データ線駆動回路により、負極性の画像信号をデータ線に供給して、負極性の画像信号に基づく画像電圧を画素電極に書き込む。すると、データ線に供給した負極性の画像信号が、例えば黒の階調に対応した画像信号であれば、画素電極の電圧γ２は、電圧Ｖ５となる。また、データ線に供給した負極性の画像信号が、例えば白の階調に対応した画像信号であれば、画素電極の電圧γ２は、電圧Ｖ２となる。
【００２３】
時刻ｔ５６において、容量線駆動回路により、所定の電圧を容量線に供給して、容量線の電圧ＶＳＴを電圧Ｖ６から電圧Ｖ４まで低下させる。すると、この容量線の低下した電圧に相当する電荷が、蓄積容量と画素容量との間で分配される。このため、画素電極の電圧γ２は、低下して、時刻ｔ５７ではγ２Ａとなる。
このため、液晶には、共通電極の電圧ＬＣＣＯＭと、画素電極の電圧γ２Ａと、の電位差に応じた駆動電圧が印加される。
【００２４】
すなわち、従来例に係る電気光学装置では、負極性書込時において、負極性の画像信号に基づく画像電圧を画素電極に書き込んだ後に、容量線の電圧を低下させる。すると、負極性の画像信号に基づく画像電圧を画素電極に書き込んだ際には、画素電極の電圧はγ２であるが、容量線の電圧を低下させると、画素電極の電圧はγ２Ａまで低下する。すなわち、容量線の電圧を低下させることで、共通電極の電圧ＬＣＣＯＭと、画素電極の電圧と、の電位差が大きくなる。
【００２５】
以上のように、従来例に係る電気光学装置では、画像電圧を画素電極に書き込んだ後に、容量線の電圧を変動させることで、画像電圧の振幅を小さくしても、共通電極の電圧と画素電極の電圧との電位差を大きくできる。よって、液晶に印加する駆動電圧の振幅を確保して表示品位の低下を抑制しつつ、画像電圧の振幅を小さくして消費電力を低減できる。
【特許文献１】特開２００２−１９６３５８号公報
【発明の開示】
【発明が解決しようとする課題】
【００２６】
ところで、図１５に示したように、上述の従来例に係る電気光学装置では、正極性書込時には、データ線駆動回路により正極性の画像信号をデータ線に供給して、画素電極の電圧を電圧Ｖ８〜Ｖ１１までの間で変化させる。また、負極性書込時には、データ線駆動回路により負極性の画像信号をデータ線に供給して、画素電極の電圧を電圧Ｖ２〜Ｖ５までの間で変化させる。このため、データ線駆動回路は、画素電極の電圧を電圧Ｖ２〜Ｖ１１までの間で変化させることができるように、画像信号をデータ線に供給しなくてはならない。したがって、電圧Ｖ２と電圧Ｖ１１との電位差が大きければ、データ線駆動回路によりデータ線に供給する画像信号の電圧振幅を大きくしなくてはならない。ところが、データ線駆動回路は、画像信号の電圧振幅を大きくすると、自身がデータ線に供給する画像信号の大きな電圧により、正常に動作出来なくなる場合があった。このため、データ線駆動回路は、高耐圧プロセスで製造する必要があった。
しかし、高耐圧プロセスで製造したデータ線駆動回路は、動作する際に高い駆動電圧を必要とするため、消費電力が増大する場合があった。
【００２７】
そこで、本発明は、上述の課題に鑑みてなされたものであり、消費電力を低減できる電気光学装置および電子機器を提供することを目的とする。
【課題を解決するための手段】
【００２８】
本発明の電気光学装置は、複数の走査線、複数のデータ線、複数の容量線、および前記複数の走査線と前記複数のデータ線との交差に対応して設けられた複数の画素電極を備え、当該画素電極と対向する共通電極を有する画素容量と、一方の電極が前記容量線に接続されるとともに他方の電極が前記画素電極に接続された蓄積容量と、を備える電気光学装置であって、第１電圧と、当該第１電圧よりも電位の低い第２電圧と、が交互に選択され、当該選択された電圧を前記複数の容量線に順次供給する容量線駆動回路と、前記走査線を選択する選択電圧を前記複数の走査線に順次供給する走査線駆動回路と、前記走査線が選択された際に、画像信号を前記複数のデータ線に供給するデータ線駆動回路と、を備え、前記第１電圧または前記第２電圧のいずれかは、前記共通電極の電圧と同電位とし、前記容量線駆動回路により前記第１電圧または前記第２電圧のいずれか一方が前記容量線に供給された後に、前記走査線駆動回路により前記選択電圧が前記走査線に供給されるとともに、前記データ線駆動回路により画像信号が前記データ線に供給され、前記走査線駆動回路により前記選択電圧を前記走査線に供給するのを停止した後に、前記容量線駆動回路により前記第１電圧または前記第２電圧のいずれか他方を前記容量線に供給することを特徴とする。
【００２９】
この発明によれば、容量線駆動回路により容量線に供給する第１電圧または第２電圧のいずれかを、共通電極の電圧と同電位とした。このため、第１電圧、第２電圧、および共通電極の電圧の電位がそれぞれ異なる場合と比べて、それぞれの電圧を供給する電源ラインを１本削減できるので、電気光学装置を小型化できる。
【００３０】
また、この発明によれば、データ線駆動回路により供給する画像信号の電圧を、共通電極の電圧よりも高電位にすれば正極性書込を行うことができ、共通電極の電圧よりも低電位にすれば負極性書込を行うことができる。
また、例えば、容量線駆動回路により第１電圧を容量線に供給した後に、上述のように正極性書込を行い、その後、容量線駆動回路により第２電圧を容量線に供給すると、容量線の電圧が第１電圧から第２電圧まで低下する。すると、第１電圧から第２電圧まで低下した容量線の電圧に相当する電荷が、蓄積容量と画素容量との間で分配され、画素容量が備える画素電極の電圧が低下する。よって、容量線の電圧を第１電圧から第２電圧まで低下させて、画素電極の電圧を共通電極の電圧よりも低くすることで、共通電極の電圧よりも電位の低い画像電圧を画素電極に書き込む負極性書込を擬似的に行うことができる。
また、例えば、容量線駆動回路により第２電圧を容量線に供給した後に、上述のように負極性書込を行い、その後、容量線駆動回路により第１電圧を容量線に供給すると、容量線の電圧が第２電圧から第１電圧まで上昇する。すると、第２電圧から第１電圧まで上昇した容量線の電圧に相当する電荷が、蓄積容量と画素容量との間で分配され、画素容量が備える画素電極の電圧が上昇する。よって、容量線の電圧を第２電圧から第１電圧まで上昇させて、画素電極の電圧を共通電極の電圧よりも高くすることで、共通電極の電圧よりも電位の高い画像電圧を画素電極に書き込む正極性書込を擬似的に行うことができる。
以上のように、正極性書込を行ったり、正極性書込を行った後に負極性書込を擬似的に行う場合、データ線駆動回路により正極性の画像信号をデータ線に供給する。一方、負極性書込を行ったり、負極性書込を行った後に正極性書込を擬似的に行う場合、データ線駆動回路により負極性の画像信号をデータ線に供給する。したがって、上述のどちらの場合でも、上述の従来例のように、正極性書込を行う場合には、画像信号の電圧を共通電極の電圧よりも電位を高くし、負極性書込を行う場合には、画像信号の電圧を共通電極の電圧よりも電位を低くする場合と比べて、画像信号の電圧振幅を小さくできる。よって、高耐圧プロセスで製造しなくても、データ線駆動回路を正常に動作させることができるので、データ線駆動回路に供給する駆動電圧を低くして、消費電力を低減できる。
【００３１】
本発明の電気光学装置では、前記第２電圧が前記共通電極の電圧と同電位の場合、前記画像信号の電圧レベルは、前記第１電圧の電圧レベルよりも低く、かつ前記共通電極の電圧レベルよりも高く設定されることが好ましい。
【００３２】
この発明によれば、第２電圧を共通電極の電圧と同電位とし、画像信号の電圧レベルを、第１電圧の電圧レベルよりも低く、かつ共通電極の電圧レベルよりも高くした。このため、共通電極の電圧よりも電位の高い正極性の画像信号を用いて、正極性書込を行ったり、正極性書込を行った後に負極性書込を擬似的に行うことができる。よって、上述した効果と同様の効果がある。
【００３３】
本発明の電気光学装置では、前記第１電圧が前記共通電極の電圧と同電位の場合、前記画像信号の電圧レベルは、前記第１電圧の電圧レベルよりも高く設定されることが好ましい。
【００３４】
この発明によれば、第１電圧を共通電極の電圧と同電位とし、画像信号の電圧レベルを、第１電圧の電圧レベルよりも高くした。このため、共通電極の電圧よりも電位の高い正極性の画像信号を用いて、正極性書込を行ったり、正極性書込を行った後に負極性書込を擬似的に行うことができる。よって、上述した効果と同様の効果がある。
【００３５】
本発明の電気光学装置では、前記第２電圧が前記共通電極の電圧と同電位の場合、前記画像信号の電圧レベルは、前記第２電圧の電圧レベルよりも低く設定されることが好ましい。
【００３６】
この発明によれば、第２電圧を共通電極の電圧と同電位とし、画像信号の電圧レベルを、第２電圧の電圧レベルよりも低くした。このため、共通電極の電圧よりも電位の低い負極性の画像信号を用いて、負極性書込を行ったり、負極性書込を行った後に正極性書込を擬似的に行うことができる。よって、上述した効果と同様の効果がある。
【００３７】
本発明の電気光学装置では、前記第１電圧が前記共通電極の電圧と同電位の場合、前記画像信号の電圧レベルは、前記第２電圧の電圧レベルよりも高く、かつ前記共通電極の電圧レベルよりも低く設定されることが好ましい。
【００３８】
この発明によれば、第１電圧を共通電極の電圧と同電位とし、画像信号の電圧レベルを、第２電圧の電圧レベルよりも高く、かつ共通電極の電圧レベルよりも低くした。このため、共通電極の電圧よりも電位の低い負極性の画像信号を用いて、負極性書込を行ったり、負極性書込を行った後に正極性書込を擬似的に行うことができる。よって、上述した効果と同様の効果がある。
【００３９】
本発明の電気光学装置では、前記走査線駆動回路により前記選択電圧を前記走査線に供給するのを停止した後に、前記容量線駆動回路により前記容量線をフローティング状態とすることが好ましい。
【００４０】
この発明によれば、走査線駆動回路により選択電圧を走査線に供給するのを停止した後に、容量線をフローティング状態とした。すなわち、画像電圧を画素電極に書き込んで、共通電極の電圧に対する画素電極の電圧が安定した後に、容量線をフローティング状態とした。よって、容量線駆動回路から電圧を容量線に供給する期間が短くなるので、消費電力を低減できる。
【００４１】
本発明の電気光学装置では、前記選択電圧の供給が停止された後に前記容量線駆動回路により前記第１電圧または前記第２電圧のいずれか他方を前記容量線に供給し、その後に前記容量線をフローティング状態とすることが好ましい。
【００４２】
この発明によれば、選択電圧の供給が停止された後に、容量線駆動回路により第１電圧または第２電圧のいずれか他方を容量線に供給し、その後、容量線をフローティング状態とした。すなわち、画像電圧を画素電極に書き込んで、共通電極の電圧に対する画素電極の電圧が安定した後に、容量線の電圧を第１電圧から第２電圧に低下させて負極性書込を擬似的に行ったり、容量線の電圧を第２電圧から第１電圧に上昇させて正極性書込を擬似的に行って、その後、容量線をフローティング状態とした。よって、上述した効果と同様の効果がある。
【００４３】
本発明の電子機器は、上述の電気光学装置を備えることを特徴とする。
この発明によれば、上述した効果と同様の効果がある。
【発明を実施するための最良の形態】
【００４４】
以下、本発明の実施形態を図面に基づいて説明する。なお、以下の実施形態および変形例の説明にあたって、同一構成要件については同一符号を付し、その説明を省略もしくは簡略化する。
【００４５】
＜第１実施形態＞
図１は、本発明の第１実施形態に係る電気光学装置１のブロック図である。
電気光学装置１は、液晶パネルＡＡと、この液晶パネルＡＡに対向配置されて光を出射するバックライト９０と、を備える。この電気光学装置１は、バックライト９０からの光を利用して、透過型の表示を行う。
【００４６】
液晶パネルＡＡは、複数の画素５０がマトリクス状に配列されて画像を表示する表示画面Ａと、この表示画面Ａの周辺に設けられて画素５０を駆動する走査線駆動回路１０、データ線駆動回路２０、および容量線駆動回路３０と、を備える。
【００４７】
バックライト９０は、光を出射する。このバックライト９０は、液晶パネルＡＡの裏面に設けられ、例えば、冷陰極蛍光管（ＣＣＦＬ（Cold  Cathode  Fluorescent  Lamp））や発光ダイオード（ＬＥＤ（Light  Emitting  Diode））、あるいはエレクトロルミネッセンス（ＥＬ（Electro  Luminescence））で構成される。
【００４８】
以下、液晶パネルＡＡの構成について詳述する。
液晶パネルＡＡは、所定間隔おきに交互に設けられた３２０行の走査線Ｙ１〜Ｙ３２０および３２０行の容量線Ｚ１〜Ｚ３２０と、これら走査線Ｙ１〜Ｙ３２０および容量線Ｚ１〜Ｚ３２０に交差し、かつ、所定間隔おきに設けられた２４０列のデータ線Ｘ１〜Ｘ２４０と、を備える。
【００４９】
各走査線Ｙおよび各データ線Ｘの交差部分には、画素５０が設けられている。画素５０は、ＴＦＴ５１と、画素電極５５および共通電極５６を有する画素容量５４と、一方の電極が容量線Ｚに接続され他方の電極が画素電極５５に接続された蓄積容量５３と、を備える。
【００５０】
ＴＦＴ５１のゲートには、走査線Ｙが接続され、ＴＦＴ５１のソースには、データ線Ｘが接続され、ＴＦＴ５１のドレインには、画素電極５５および蓄積容量５３の他方の電極が接続されている。したがって、このＴＦＴ５１は、走査線Ｙから選択電圧が印加されるとオン状態となり、データ線Ｘと画素電極５５および蓄積容量５３の他方の電極とを導通状態とする。
【００５１】
容量線駆動回路３０は、第１電圧としての電圧ＶＣＯＭＨと、この電圧ＶＣＯＭＨよりも電位の低い第２電圧としての電圧ＶＣＯＭＬと、を交互に選択し、選択した電圧を容量線Ｚ１〜Ｚ３２０に順次供給する。例えば、ある容量線Ｚに電圧ＶＣＯＭＬを供給すると、この容量線Ｚに接続された全ての蓄積容量５３の一方の電極の電圧は、電圧ＶＣＯＭＬとなる。
【００５２】
走査線駆動回路１０は、各走査線Ｙを選択する選択電圧を走査線Ｙ１〜Ｙ３２０に順次供給する。例えば、ある走査線Ｙに選択電圧を供給すると、この走査線Ｙに接続されたＴＦＴ５１が全てオン状態となり、この走査線Ｙに係る画素５０が全て選択される。
【００５３】
データ線駆動回路２０は、画像信号をデータ線Ｘ１〜Ｘ２４０に供給し、オン状態のＴＦＴ５１を介して、この画像信号に基づく画像電圧を画素電極５５に書き込む。
ここで、データ線駆動回路２０は、共通電極５６の電圧よりも電位の高い正極性の画像信号をデータ線Ｘに供給して、この正極性の画像信号に基づく画像電圧を画素電極５５に書き込む正極性書込を行う。
【００５４】
以上の電気光学装置１は、以下のように動作する。
すなわち、まず、容量線駆動回路３０からｍ行目（ｍは、１≦ｍ≦３２０を満たす整数）の容量線Ｚｍに電圧ＶＣＯＭＨを供給する。
【００５５】
次に、走査線駆動回路１０から走査線Ｙｍに選択電圧を供給することで、走査線Ｙｍに接続された全てのＴＦＴ５１をオン状態にして、走査線Ｙｍに係る全ての画素５０を選択する。
【００５６】
また、走査線Ｙｍに係る画素５０の選択に同期して、データ線駆動回路２０からデータ線Ｘ１〜Ｘ２４０に正極性の画像信号を供給する。
【００５７】
すると、走査線駆動回路１０で選択した走査線Ｙｍに係る全ての画素５０に、データ線駆動回路２０からデータ線Ｘ１〜Ｘ２４０およびオン状態のＴＦＴ５１を介して正極性の画像信号が供給され、この正極性の画像信号に基づく画像電圧が画素電極５５に書き込まれる。
【００５８】
次に、（ｍ−１）行目の容量線Ｚ（ｍ−１）の電圧に応じて、容量線駆動回路３０から容量線Ｚｍに電圧ＶＣＯＭＬまたは電圧ＶＣＯＭＨを供給する。具体的には、容量線Ｚ（ｍ−１）の電圧が電圧ＶＣＯＭＬであれば、容量線駆動回路３０から容量線Ｚｍに電圧ＶＣＯＭＨを供給する。一方、容量線Ｚ（ｍ−１）の電圧が電圧ＶＣＯＭＨであれば、容量線駆動回路３０から容量線Ｚｍに電圧ＶＣＯＭＬを供給する。
【００５９】
容量線駆動回路３０から容量線Ｚｍに電圧ＶＣＯＭＨを供給した場合、容量線Ｚｍの電圧は変動しないので、画素電極５５の電圧は変動しない。
一方、容量線駆動回路３０から容量線Ｚｍに電圧ＶＣＯＭＬを供給した場合、容量線Ｚｍの電圧が低下する。すると、この容量線Ｚｍの電圧ＶＣＯＭＨから電圧ＶＣＯＭＬまで低下した電圧に相当する電荷が、蓄積容量５３と画素容量５４との間で分配される。このため、画素電極５５の電圧が低下する。
【００６０】
以上により、画素電極５５と共通電極５６との間に電位差が生じて、駆動電圧が液晶に印加される。
液晶に駆動電圧が印加されると、液晶の配向や秩序が変化して、液晶を透過するバックライト９０からの光が変化する。この変化した光により、階調表示が行われる。
なお、液晶に印加される駆動電圧は、蓄積容量５３により、画像電圧が書き込まれる期間よりも３桁も長い期間に亘って保持される。
【００６１】
図２は、容量線駆動回路３０のブロック図である。
容量線駆動回路３０は、奇数行の容量線Ｚに対応して設けられた第１の単位容量線駆動回路３１と、偶数行の容量線Ｚに対応して設けられた第２の単位容量線駆動回路３２と、を備える。
容量線駆動回路３０の入力端には、走査線Ｙ１〜Ｙ３２０と、図示しない制御回路の出力端と、図示しない電源回路の出力端と、が接続され、容量線駆動回路３０の出力端には、容量線Ｚ１〜Ｚ３２０が接続されている。
この容量線駆動回路３０には、走査線Ｙ１〜Ｙ３２０から、選択電圧が順次入力され、図示しない制御回路から、クロック信号ＳＣＣＬおよび極性指示信号ＳＣＰＯＬが入力され、図示しない電源回路から、電圧ＶＣＯＭＬおよび電圧ＶＣＯＭＨが入力される。ここで、クロック信号ＳＣＣＬは、１水平走査期間の半分の期間（以降、１／２水平走査期間と呼ぶ）ごとに交互にＨレベルまたはＬレベルとなる信号であり、極性指示信号ＳＣＰＯＬは、１フレーム期間ごとに交互にＨレベルまたはＬレベルとなる信号である。
【００６２】
図３は、第１の単位容量線駆動回路３１のブロック図である。
第１の単位容量線駆動回路３１は、制御信号生成回路３０１および電圧選択回路３０２を備える。
【００６３】
制御信号生成回路３０１の入力端には、対応する走査線Ｙと、図示しない制御回路の出力端と、が接続され、制御信号生成回路３０１の出力端には、電圧選択回路３０２の入力端が接続されている。この制御信号生成回路３０１には、対応する走査線Ｙから、選択電圧が順次入力され、制御回路から、クロック信号ＳＣＣＬおよび極性指示信号ＳＣＰＯＬが入力される。
この制御信号生成回路３０１は、選択電圧およびクロック信号ＳＣＣＬに同期して、極性指示信号ＳＣＰＯＬを取り込んで、制御信号ＣＴＲＬとして出力する。
【００６４】
電圧選択回路３０２の入力端には、制御信号生成回路３０１の出力端と、図示しない電源回路の出力端と、が接続され、電圧選択回路３０２の出力端には、対応する容量線Ｚが接続されている。この電圧選択回路３０２には、制御信号生成回路３０１から、制御信号ＣＴＲＬが入力され、電源回路から、電圧ＶＣＯＭＬおよび電圧ＶＣＯＭＨが入力される。
この電圧選択回路３０２は、制御信号ＣＴＲＬに応じて、電圧ＶＣＯＭＬまたは電圧ＶＣＯＭＨのいずれかを選択し、選択した電圧を出力する。
また、この電圧選択回路３０２は、所定のタイミングで、電圧ＶＣＯＭＨを出力する。
【００６５】
図４は、第２の単位容量線駆動回路３２のブロック図である。
第２の単位容量線駆動回路３２は、上述の制御信号生成回路３０１および電圧選択回路３０２に加えて、インバータ３０３を備える。
【００６６】
インバータ３０３の入力端には、電圧選択回路３０２の出力端が接続され、インバータ３０３の出力端には、対応する容量線Ｚが接続されている。
このインバータ３０３は、電圧選択回路３０２から出力される電圧の極性を反転して出力する。具体的には、インバータ３０３は、電圧選択回路３０２から電圧ＶＣＯＭＬが出力された場合には、電圧ＶＣＯＭＨを出力し、電圧選択回路３０２から電圧ＶＣＯＭＨが出力された場合には、電圧ＶＣＯＭＬを出力する。
【００６７】
図５は、容量線駆動回路３０のタイミングチャートである。
まず、容量線Ｚ１に注目して、容量線駆動回路３０の動作について説明する。
【００６８】
時刻ｔ１において、電圧選択回路３０２により、電圧ＶＣＯＭＨを容量線Ｚ１に供給する。
【００６９】
時刻ｔ２において、走査線駆動回路１０により、選択電圧を走査線Ｙ１に供給して、走査線Ｙ１の電圧を電圧ＶＧＨとする。
【００７０】
時刻ｔ３において、走査線駆動回路１０により、選択電圧を走査線Ｙ１に供給するのを停止して、走査線Ｙ１の電圧を電圧ＶＧＬとする。
【００７１】
時刻ｔ４において、制御信号生成回路３０１により、クロック信号ＳＣＣＬがＨレベルとなるのに同期して、極性指示信号ＳＣＰＯＬの電圧レベルを参照する。すると、時刻ｔ４では、極性指示信号ＳＣＰＯＬはＨレベルなので、Ｈレベルの制御信号ＣＴＲＬを出力する。このため、制御信号生成回路３０１から出力されたＨレベルの制御信号ＣＴＲＬに基づいて、電圧選択回路３０２により、電圧ＶＣＯＭＨを容量線Ｚ１に供給する。
【００７２】
時刻ｔ５において、電圧選択回路３０２により、電圧ＶＣＯＭＨを容量線Ｚ１に供給する。
【００７３】
時刻ｔ６において、走査線駆動回路１０により、選択電圧を走査線Ｙ１に供給して、走査線Ｙ１の電圧を電圧ＶＧＨとする。
【００７４】
時刻ｔ７において、走査線駆動回路１０により、選択電圧を走査線Ｙ１に供給するのを停止して、走査線Ｙ１の電圧を電圧ＶＧＬとする。
【００７５】
時刻ｔ８において、制御信号生成回路３０１により、クロック信号ＳＣＣＬがＨレベルとなるのに同期して、極性指示信号ＳＣＰＯＬの電圧レベルを参照する。すると、時刻ｔ８では、極性指示信号ＳＣＰＯＬはＬレベルなので、Ｌレベルの制御信号ＣＴＲＬを出力する。このため、制御信号生成回路３０１から出力されたＬレベルの制御信号ＣＴＲＬに基づいて、電圧選択回路３０２により、電圧ＶＣＯＭＬを容量線Ｚ１に供給する。
【００７６】
以上のように、走査線駆動回路１０により選択電圧を走査線Ｙ１に供給する時刻より１／２水平走査期間前に、電圧選択回路３０２により、電圧ＶＣＯＭＨを容量線Ｚ１に供給する。
また、走査線駆動回路１０により選択電圧を走査線Ｙ１に供給するのを停止してから１／２水平走査期間後に、極性指示信号ＳＣＰＯＬがＨレベルであれば、制御信号生成回路３０１により、Ｈレベルの制御信号ＣＴＲＬを出力し、極性指示信号ＳＣＰＯＬがＬレベルであれば、制御信号生成回路３０１により、Ｌレベルの制御信号ＣＴＲＬを出力する。そして、制御信号生成回路３０１によりＨレベルの制御信号ＣＴＲＬが出力された場合、電圧選択回路３０２により、電圧ＶＣＯＭＨを容量線Ｚ１に供給する。一方、制御信号生成回路３０１によりＬレベルの制御信号ＣＴＲＬが出力された場合、電圧選択回路３０２により、電圧ＶＣＯＭＬを容量線Ｚ１に供給する。
【００７７】
次に、ｐ行目（ｐは、２≦ｐ≦３２０を満たす奇数）の走査線Ｙｐに注目して、容量線駆動回路３０の動作について説明する。
【００７８】
走査線Ｙｐに係る制御信号生成回路３０１および電圧選択回路３０２は、走査線Ｙ１に係る制御信号生成回路３０１および電圧選択回路３０２と同様に動作する。
【００７９】
すなわち、走査線駆動回路１０により選択電圧を走査線Ｙｐに供給する時刻より１／２水平走査期間前に、電圧選択回路３０２により、電圧ＶＣＯＭＨを容量線Ｚｐに供給する。
また、走査線駆動回路１０により選択電圧を走査線Ｙｐに供給するのを停止してから１／２水平走査期間後に、極性指示信号ＳＣＰＯＬがＨレベルであれば、制御信号生成回路３０１により、Ｈレベルの制御信号ＣＴＲＬを出力し、極性指示信号ＳＣＰＯＬがＬレベルであれば、制御信号生成回路３０１により、Ｌレベルの制御信号ＣＴＲＬを出力する。そして、制御信号生成回路３０１によりＨレベルの制御信号ＣＴＲＬが出力された場合、電圧選択回路３０２により、電圧ＶＣＯＭＨを容量線Ｚｐに供給する。一方、制御信号生成回路３０１によりＬレベルの制御信号ＣＴＲＬが出力された場合、電圧選択回路３０２により、電圧ＶＣＯＭＬを容量線Ｚｐに供給する。
【００８０】
次に、ｑ行目（ｑは、２≦ｑ≦３２０を満たす偶数）の走査線Ｙｑに着目して、容量線駆動回路３０の動作について説明する。
【００８１】
走査線Ｙｑに係る電圧選択回路３０２は、走査線Ｙ１に係る電圧選択回路３０２と比べて、走査線駆動回路１０により選択電圧を走査線Ｙに供給する時刻より１／２水平走査期間前に出力する電圧が異なる。
【００８２】
すなわち、走査線駆動回路１０により選択電圧を走査線Ｙｑに供給する時刻より１／２水平走査期間前に、電圧選択回路３０２により、電圧ＶＣＯＭＬを出力する。そして、この電圧ＶＣＯＭＬは、インバータ３０３により極性が反転され、電圧ＶＣＯＭＨが容量線Ｚｑに供給される。
また、走査線駆動回路１０により選択電圧を走査線Ｙｑに供給するのを停止してから１／２水平走査期間後に、極性指示信号ＳＣＰＯＬがＨレベルであれば、制御信号生成回路３０１により、Ｈレベルの制御信号ＣＴＲＬを出力し、極性指示信号ＳＣＰＯＬがＬレベルであれば、制御信号生成回路３０１により、Ｌレベルの制御信号ＣＴＲＬを出力する。そして、制御信号生成回路３０１によりＨレベルの制御信号ＣＴＲＬが出力された場合、電圧選択回路３０２により、電圧ＶＣＯＭＨを出力する。そして、この電圧ＶＣＯＭＨは、インバータ３０３により極性が反転され、電圧ＶＣＯＭＬが容量線Ｚｑに供給される。一方、制御信号生成回路３０１によりＬレベルの制御信号ＣＴＲＬが出力された場合、電圧選択回路３０２により、電圧ＶＣＯＭＬを出力する。そして、この電圧ＶＣＯＭＬは、インバータ３０３により極性が反転され、電圧ＶＣＯＭＨが容量線Ｚｑに供給される。
【００８３】
図６は、電気光学装置１のタイミングチャートである。
図６において、ＬＣＣＯＭは、共通電極５６の電圧を示し、ＶＳＴは、容量線Ｚの電圧を示す。また、γ１Ａは、正極性書込を行った場合における画素電極５５の電圧を示す。また、γ２Ｂは、負極性書込を擬似的に行う前に正極性書込を行った場合における画素電極５５の電圧を示し、γ２Ａは、負極性書込を擬似的に行った場合における画素電極５５の電圧を示している。
【００８４】
まず、時刻ｔ１０からｔ１２までの期間を参照して、電気光学装置１の正極性書込時の動作について説明する。
【００８５】
時刻ｔ１０において、容量線駆動回路３０により、電圧ＶＣＯＭＨを容量線Ｚに供給して、容量線Ｚの電圧ＶＳＴを電圧ＶＣＯＭＨとする。
【００８６】
時刻ｔ１１において、走査線駆動回路１０により、選択電圧を走査線Ｙに供給するとともに、データ線駆動回路２０により、正極性の画像信号をデータ線Ｘに供給して、正極性の画像信号に基づく画像電圧を画素電極５５に書き込む。すると、データ線Ｘに供給した正極性の画像信号が、例えば黒の階調に対応した画像信号であれば、画素電極５５の電圧γ１Ａは、電圧Ｖ１０となる。また、データ線Ｘに供給した正極性の画像信号が、例えば白の階調に対応した画像信号であれば、画素電極５５の電圧γ１Ａは、電圧Ｖ１２となる。
このため、液晶には、共通電極５６の電圧ＬＣＣＯＭと、画素電極５５の電圧γ１Ａと、の電位差に応じた駆動電圧が印加される。
【００８７】
次に、時刻ｔ１２からｔ１６までの期間を参照して、電気光学装置１の負極性書込を擬似的に行う場合の動作について説明する。
【００８８】
時刻ｔ１２において、容量線駆動回路３０により、電圧ＶＣＯＭＨを容量線Ｚに供給して、容量線Ｚの電圧ＶＳＴを電圧ＶＣＯＭＨとする。
【００８９】
時刻ｔ１３において、時刻ｔ１１と同様に、正極性の画像信号に基づく画像電圧を画素電極５５に書き込む。
ここで、液晶は、正極性の画像信号に基づく画像電圧が画素電極５５に書き込まれた場合と、負極性の画像信号に基づく画像電圧が画素電極５５に書き込まれた場合とでは、配向や秩序の変化の度合いが異なる。このため、画像信号の極性が異なっても、液晶の配向や秩序の変化の度合いが異ならないように、正極性の画像信号の電圧に対する負極性の画像信号の電圧を設定し、画素電極５５に書き込む。すなわち、時刻ｔ１１では、画素電極の電圧をγ１Ａとしたが、時刻ｔ１３では、画素電極の電圧をγ２Ｂとする。
【００９０】
時刻ｔ１４において、容量線駆動回路３０により、共通電極５６の電圧ＬＣＣＯＭと同電位である電圧ＶＣＯＭＬを容量線Ｚに供給して、容量線Ｚの電圧ＶＳＴを電圧ＶＣＯＭＨから電圧ＶＣＯＭＬまで低下させる。すると、電圧ＶＣＯＭＨから電圧ＶＣＯＭＬまで低下した容量線Ｚの電圧ＶＳＴに相当する電荷が、蓄積容量５３と画素容量５４との間で分配されるので、画素電極５５の電圧γ２Ｂは、低下して、時刻ｔ１５ではγ２Ａとなる。
このため、液晶には、共通電極の電圧ＬＣＣＯＭと、画素電極の電圧γ２Ａと、の電位差に応じた駆動電圧が印加される。
【００９１】
すなわち、電気光学装置１は、画像信号に基づく画像電圧を画素電極５５に書き込む方法として、以下の２つの方法を有する。
【００９２】
第１の方法は、図６の時刻ｔ１０からｔ１２までの期間に示したように、正極性書込を行う方法である。
この正極性書込を行う方法では、容量線駆動回路３０により、電圧ＶＣＯＭＨを容量線Ｚに供給した後に、走査線駆動回路１０により、選択電圧を走査線Ｙに供給するとともに、データ線駆動回路２０により、共通電極５６の電圧ＬＣＣＯＭよりも電位の高い正極性の画像信号をデータ線Ｘに供給する。
【００９３】
第２の方法は、図６の時刻ｔ１２からｔ１６までの期間に示したように、負極性書込を擬似的に行う方法である。
この負極性書込を擬似的に行う方法では、まず、容量線駆動回路３０により、電圧ＶＣＯＭＨを容量線Ｚに供給した後に、走査線駆動回路１０により、選択電圧を走査線Ｙに供給するとともに、データ線駆動回路２０により、共通電極５６の電圧ＬＣＣＯＭよりも電位の高い正極性の画像信号をデータ線Ｘに供給する。次に、走査線駆動回路１０により、選択電圧を走査線Ｙに供給するのを停止して、共通電極５６の電圧ＬＣＣＯＭに対する画素電極５５の電圧γ２Ｂが安定した後に、容量線駆動回路３０により、共通電極５６の電圧ＬＣＣＯＭと同電位である電圧ＶＣＯＭＬを容量線Ｚに供給する。
すなわち、負極性書込を擬似的に行う方法では、上述の第１の方法により正極性書込を行った後に、容量線駆動回路３０により、共通電極５６の電圧ＬＣＣＯＭと同電位である電圧ＶＣＯＭＬを容量線Ｚに供給する。
【００９４】
本実施形態によれば、以下のような効果がある。
（１）共通電極５６の電圧ＬＣＣＯＭと、電圧ＶＣＯＭＬと、を同電位とした。このため、共通電極５６の電圧ＬＣＣＯＭと、電圧ＶＣＯＭＬと、の電位が異なる場合と比べて、共通電極５６の電圧ＬＣＣＯＭを供給する電源ラインと、電圧ＶＣＯＭＬを供給する電源ラインと、を共通とすることで、電源ラインを１本削減できるので、電気光学装置１を小型化できる。
【００９５】
（２）画像信号に基づく画像電圧を画素電極５５に書き込む方法として、第１の方法としての正極性書込を行う方法と、第２の方法としての負極性書込を擬似的に行う方法と、を設けた。ここで、正極性書込を行う場合と、負極性書込を擬似的に行う場合とでは、画像電圧を画素電極５５に書き込むための画像信号を、共通電極５６の電圧ＬＣＣＯＭよりも電位を高くした。このため、上述の従来例のように、正極性書込を行う場合には、画像信号の電圧を共通電極５６の電圧ＬＣＣＯＭよりも電位を高くし、負極性書込を行う場合には、画像信号の電圧を共通電極５６の電圧ＬＣＣＯＭよりも電位を低くする場合と比べて、画像信号の電圧振幅を小さくできる。よって、高耐圧プロセスで製造しなくても、データ線駆動回路２０を正常に動作させることができるので、データ線駆動回路２０に供給する駆動電圧を低くして、消費電力を低減できる。
【００９６】
＜第２実施形態＞
図７は、本発明の第２実施形態に係る電気光学装置１Ａのタイミングチャートである。
本実施形態では、共通電極５６の電圧ＬＣＣＯＭと、電圧ＶＣＯＭＨと、を同電位とした点が、第１実施形態に係る電気光学装置１とは異なる。
【００９７】
電気光学装置１Ａは、画像信号に基づく画像電圧を画素電極５５に書き込む方法として、以下の２つの方法を有する。
【００９８】
第３の方法は、図７の時刻ｔ２０からｔ２２までの期間に示すように、正極性書込を行う方法である。
この正極性書込を行う方法では、容量線駆動回路３０により、共通電極５６の電圧ＬＣＣＯＭと同電位である電圧ＶＣＯＭＨを容量線Ｚに供給した後に、走査線駆動回路１０により、選択電圧を走査線Ｙに供給するとともに、データ線駆動回路２０により、共通電極５６の電圧ＬＣＣＯＭよりも電位の高い正極性の画像信号をデータ線Ｘに供給する。
【００９９】
第４の方法は、図７の時刻ｔ２２からｔ２６までの期間に示すように、負極性書込を擬似的に行う方法である。
この負極性書込を擬似的に行う方法では、まず、容量線駆動回路３０により、共通電極５６の電圧ＬＣＣＯＭと同電位である電圧ＶＣＯＭＨを容量線Ｚに供給した後に、走査線駆動回路１０により、選択電圧を走査線Ｙに供給するとともに、データ線駆動回路２０により、共通電極５６の電圧ＬＣＣＯＭよりも電位の高い正極性の画像信号をデータ線Ｘに供給する。次に、走査線駆動回路１０により、選択電圧を走査線Ｙに供給するのを停止して、共通電極５６の電圧ＬＣＣＯＭに対する画素電極５５の電圧γ２Ｂが安定した後に、容量線駆動回路３０により、電圧ＶＣＯＭＬを容量線Ｚに供給する。
すなわち、負極性書込を擬似的に行う方法では、上述の第３の方法により正極性書込を行った後に、容量線駆動回路３０により、電圧ＶＣＯＭＬを容量線Ｚに供給する。
【０１００】
本実施形態によれば、以下のような効果がある。
（３）共通電極５６の電圧ＬＣＣＯＭと、電圧ＶＣＯＭＨと、を同電位とした。このため、共通電極５６の電圧ＬＣＣＯＭと、電圧ＶＣＯＭＨと、の電位が異なる場合と比べて、共通電極５６の電圧ＬＣＣＯＭを供給する電源ラインと、電圧ＶＣＯＭＨを供給する電源ラインと、を共通とすることで、電源ラインを１本削減できるので、電気光学装置１Ａを小型化できる。
【０１０１】
＜第３実施形態＞
図８は、本発明の第３実施形態に係る電気光学装置１Ｂのタイミングチャートである。
図８において、γ２Ａは、負極性書込を行った場合における画素電極５５の電圧を示す。また、γ１Ｂは、正極性書込を擬似的に行う前に負極性書込を行った場合における画素電極５５の電圧を示し、γ１Ａは、正極性書込を擬似的に行った場合における画素電極５５の電圧を示している。
本実施形態では、画像信号に基づく画像電圧を画素電極５５に書き込む２つの方法が、第１実施形態に係る電気光学装置１とは異なる。
【０１０２】
第５の方法は、図８の時刻ｔ３０からｔ３２までの期間に示すように、負極性書込を行う方法である。
この負極性書込を行う方法では、容量線駆動回路３０により、共通電極５６の電圧ＬＣＣＯＭと同電位である電圧ＶＣＯＭＬを容量線Ｚに供給した後に、走査線駆動回路１０により、選択電圧を走査線Ｙに供給するとともに、データ線駆動回路２０により、共通電極５６の電圧ＬＣＣＯＭよりも電位の低い負極性の画像信号をデータ線Ｘに供給する。
【０１０３】
第６の方法は、図８の時刻ｔ３２からｔ３６までの期間に示すように、正極性書込を擬似的に行う方法である。
この正極性書込を擬似的に行う方法では、まず、容量線駆動回路３０により、共通電極５６の電圧ＬＣＣＯＭと同電位である電圧ＶＣＯＭＬを容量線Ｚに供給した後に、走査線駆動回路１０により、選択電圧を走査線Ｙに供給するとともに、データ線駆動回路２０により、共通電極５６の電圧ＬＣＣＯＭよりも電位の低い負極性の画像信号をデータ線Ｘに供給する。次に、走査線駆動回路１０により、選択電圧を走査線Ｙに供給するのを停止して、共通電極５６の電圧ＬＣＣＯＭに対する画素電極５５の電圧γ１Ｂが安定した後に、容量線駆動回路３０により、電圧ＶＣＯＭＨを容量線Ｚに供給する。
すなわち、正極性書込を擬似的に行う方法では、上述の第５の方法により負極性書込を行った後に、容量線駆動回路３０により、電圧ＶＣＯＭＨを容量線Ｚに供給する。
【０１０４】
本実施形態によれば、以下のような効果がある。
（４）画像信号に基づく画像電圧を画素電極５５に書き込む方法として、第５の方法としての負極性書込を行う方法と、第６の方法としての正極性書込を擬似的に行う方法と、を設けた。ここで、負極性書込を行う場合と、正極性書込を擬似的に行う場合とでは、画像電圧を画素電極５５に書き込むための画像信号を、共通電極５６の電圧ＬＣＣＯＭよりも電位を低くした。このため、上述の従来例のように、正極性書込を行う場合には、画像信号の電圧を共通電極５６の電圧ＬＣＣＯＭよりも電位を高くし、負極性書込を行う場合には、画像信号の電圧を共通電極５６の電圧ＬＣＣＯＭよりも電位を低くする場合と比べて、画像信号の電圧振幅を小さくできる。よって、高耐圧プロセスで製造しなくても、データ線駆動回路２０を正常に動作させることができるので、データ線駆動回路２０に供給する駆動電圧を低くして、消費電力を低減できる。
【０１０５】
＜第４実施形態＞
図９は、本発明の第４実施形態に係る電気光学装置１Ｃのタイミングチャートである。
本実施形態では、共通電極５６の電圧ＬＣＣＯＭと、電圧ＶＣＯＭＨと、を同電位とした点が、第３実施形態に係る電気光学装置１Ｂとは異なる。
【０１０６】
電気光学装置１Ｃは、画像信号に基づく画像電圧を画素電極５５に書き込む方法として、以下の２つの方法を有する。
【０１０７】
第７の方法は、図９の時刻ｔ４０からｔ４２までの期間に示すように、負極性書込を行う方法である。
この負極性書込を行う方法では、容量線駆動回路３０により、電圧ＶＣＯＭＬを容量線Ｚに供給した後に、走査線駆動回路１０により、選択電圧を走査線Ｙに供給するとともに、データ線駆動回路２０により、共通電極５６の電圧ＬＣＣＯＭよりも電位の低い負極性の画像信号をデータ線Ｘに供給する。
【０１０８】
第８の方法は、図９の時刻ｔ４２からｔ４６までの期間に示すように、正極性書込を擬似的に行う方法である。
この正極性書込を擬似的に行う方法では、まず、容量線駆動回路３０により、電圧ＶＣＯＭＬを容量線Ｚに供給した後に、走査線駆動回路１０により、選択電圧を走査線Ｙに供給するとともに、データ線駆動回路２０により、共通電極５６の電圧ＬＣＣＯＭよりも電位の低い負極性の画像信号をデータ線Ｘに供給する。次に、走査線駆動回路１０により、選択電圧を走査線Ｙに供給するのを停止して、共通電極５６の電圧ＬＣＣＯＭに対する画素電極５５の電圧γ１Ｂが安定した後に、容量線駆動回路３０により共通電極５６の電圧ＬＣＣＯＭと同電位である電圧ＶＣＯＭＨを容量線Ｚに供給する。
すなわち、正極性書込を擬似的に行う方法では、上述の第７の方法により負極性書込を行った後に、容量線駆動回路３０により、共通電極５６の電圧ＬＣＣＯＭと同電位である電圧ＶＣＯＭＨを容量線Ｚに供給する。
【０１０９】
本実施形態によれば、上述した効果と同様の効果がある。
【０１１０】
＜第５実施形態＞
図１０は、本発明の第５実施形態に係る容量線駆動回路３０Ａのブロック図である。
本実施形態では、容量線駆動回路３０Ａの入力端に、どこにも接続されていない入力端がある点が、第１実施形態に係る容量線駆動回路３０とは異なる。容量線駆動回路３０Ａのどこにも接続されていない入力端には、便宜上、電圧Ｈｉ−ｚが入力されているものとする。
この容量線駆動回路３０Ａは、奇数行の容量線Ｚに対応して設けられた第１の単位容量線駆動回路３１Ａと、偶数行の容量線Ｚに対応して設けられた第２の単位容量線駆動回路３２Ａと、を備える。
【０１１１】
図１１は、第１の単位容量線駆動回路３１Ａのブロック図である。
第１の単位容量線駆動回路３１Ａは、制御信号生成回路３０１および電圧選択回路３０２Ａを備える。
【０１１２】
電圧選択回路３０２Ａの入力端には、制御信号生成回路３０１の出力端と、図示しない電源回路の出力端と、が接続され、電圧選択回路３０２Ａの出力端には、対応する容量線Ｚが接続されている。また、この電圧選択回路３０２Ａの入力端には、どこにも接続されていない入力端がある。この電圧選択回路３０２Ａには、制御信号生成回路３０１から、制御信号ＣＴＲＬが入力され、電源回路から、電圧ＶＣＯＭＬおよび電圧ＶＣＯＭＨが入力される。また、上述のどこにも接続されていない入力端には、電圧Ｈｉ−ｚが入力される。
この電圧選択回路３０２Ａは、制御信号ＣＴＲＬに応じて、電圧ＶＣＯＭＬまたは電圧ＶＣＯＭＨのいずれかを選択し、選択した電圧を出力する。
また、この電圧選択回路３０２Ａは、所定のタイミングで、電圧Ｈｉ−ｚを出力する。
【０１１３】
図１２は、第２の単位容量線駆動回路３２Ａのブロック図である。
第２の単位容量線駆動回路３２Ａは、上述の制御信号生成回路３０１および電圧選択回路３０２Ａに加えて、インバータ３０３を備える。
【０１１４】
インバータ３０３の入力端には、電圧選択回路３０２Ａの出力端が接続され、インバータ３０３の出力端には、対応する容量線Ｚが接続されている。
このインバータ３０３は、電圧選択回路３０２Ａから出力される電圧の極性を反転して出力する。
【０１１５】
図１３は、容量線駆動回路３０Ａのタイミングチャートである。
図１３において、１点鎖線は、フローティング状態であることを示している。
【０１１６】
第１実施形態に係る容量線駆動回路３０は、走査線駆動回路１０により選択電圧を走査線Ｙに供給するのを停止してから１／２水平走査期間後に、極性指示信号ＳＣＰＯＬの電圧レベルに応じて、電圧ＶＣＯＭＬまたは電圧ＶＣＯＭＨを容量線Ｚに供給する。本実施形態に係る容量線駆動回路３０Ａは、さらに、電圧ＶＣＯＭＬまたは電圧ＶＣＯＭＨを容量線Ｚに供給してから１水平走査期間後に、電圧Ｈｉ−ｚを容量線Ｚに供給する。すると、電圧Ｈｉ−ｚが供給された容量線Ｚは、フローティング状態となる。
【０１１７】
本実施形態によれば、以下のような効果がある。
（６）走査線駆動回路１０により、選択電圧を走査線Ｙに供給するのを停止してから１／２水平走査期間後に、容量線駆動回路３０Ａにより、極性指示信号ＳＣＰＯＬの電圧レベルに応じて、電圧ＶＣＯＭＬまたは電圧ＶＣＯＭＨを容量線Ｚに供給した。そして、電圧ＶＣＯＭＬまたは電圧ＶＣＯＭＨを容量線Ｚに供給してから１水平走査期間後に、容量線駆動回路３０Ａにより、電圧Ｈｉ−ｚを容量線Ｚに供給して、容量線Ｚをフローティング状態とした。よって、容量線駆動回路３０Ａから電圧を容量線Ｚに供給する期間が短くなるので、消費電力を低減できる。
【０１１８】
＜変形例＞
なお、本発明は上述の各実施形態に限定されるものではなく、本発明の目的を達成できる範囲での変形、改良等は本発明に含まれるものである。
例えば、上述の各実施形態では、３２０行の走査線Ｙ１〜Ｙ３２０と、２４０列のデータ線Ｘ１〜Ｘ２４０と、を備えるものとしたが、これに限らない。例えば、４８０行の走査線Ｙ１〜Ｙ４８０と、６４０列のデータ線Ｘ１〜Ｘ６４０と、を備えてもよい。
【０１１９】
また、上述の各実施形態では、電気光学装置１、１Ａ、１Ｂ、１Ｃが備える液晶は、ノーマリーブラックモードで動作するものとしたが、これに限らず、例えばノーマリーホワイトモードで動作するものであってもよい。
【０１２０】
＜応用例＞
次に、上述した実施形態に係る電気光学装置１を適用した電子機器について説明する。
図１４は、電気光学装置１を適用した携帯電話機３０００の構成を示す斜視図である。携帯電話機３０００は、複数の操作ボタン３００１およびスクロールボタン３００２、ならびに電気光学装置１を備える。スクロールボタン３００２を操作することによって、電気光学装置１に表示される画面がスクロールされる。
【０１２１】
なお、電気光学装置１が適用される電子機器としては、図１４に示すもののほか、パーソナルコンピュータ、情報携帯端末、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等が挙げられる。そして、これらの各種電子機器の表示部として、前述した電気光学装置が適用可能である。
【図面の簡単な説明】
【０１２２】
【図１】本発明の第１実施形態に係る電気光学装置のブロック図である。
【図２】前記電気光学装置が備える容量線駆動回路のブロック図である。
【図３】前記容量線駆動回路が備える第１の単位容量線駆動回路のブロック図である。
【図４】前記容量線駆動回路が備える第２の単位容量線駆動回路のブロック図である。
【図５】前記容量線駆動回路のタイミングチャートである。
【図６】前記電気光学装置のタイミングチャートである。
【図７】本発明の第２実施形態に係る電気光学装置のタイミングチャートである。
【図８】本発明の第３実施形態に係る電気光学装置のタイミングチャートである。
【図９】本発明の第４実施形態に係る電気光学装置のタイミングチャートである。
【図１０】本発明の第５実施形態に係る容量線駆動回路のブロック図である。
【図１１】前記容量線駆動回路が備える第１の単位容量線駆動回路のブロック図である。
【図１２】前記容量線駆動回路が備える第２の単位容量線駆動回路のブロック図である。
【図１３】前記容量線駆動回路のタイミングチャートである。
【図１４】前記電気光学装置を適用した携帯電話機の構成を示す斜視図である。
【図１５】従来例に係る電気光学装置のタイミングチャートである。
【符号の説明】
【０１２３】
１、１Ａ、１Ｂ、１Ｃ…電気光学装置、１０…走査線駆動回路、２０…データ線駆動回路、３０、３０Ａ…容量線駆動回路、５０…画素、５３…蓄積容量、５４…画素容量、５５…画素電極、５６…共通電極、３０００…携帯電話機（電子機器）、Ｘ…データ線、Ｙ…走査線、Ｚ…容量線。
【図１】
2008076733.tif 000003
【図２】
2008076733.tif 000004
【図３】
2008076733.tif 000005
【図４】
2008076733.tif 000006
【図５】
2008076733.tif 000007
【図６】
2008076733.tif 000008
【図７】
2008076733.tif 000009
【図８】
2008076733.tif 000010
【図９】
2008076733.tif 000011
【図１０】
2008076733.tif 000012
【図１１】
2008076733.tif 000013
【図１２】
2008076733.tif 000014
【図１３】
2008076733.tif 000015
【図１４】
2008076733.tif 000016
【図１５】
2008076733.tif 000017